(57)【要約】      （修正有）【課題】ビデオテープとケースの場合、２本のテープに録画した際、２つのケースに分けて保存しようるすると、１本が行方不明になる事態が起こり得る。それらをまとめて、一ヶ所で保存することができる収納用ケースの提供。【解決手段】凸型の円型接着器３の直径に相当する部分に長方形＋楕円型の穴６を開け、それを収納する凹型の円型接着器２の部分に、長方形＋楕円型の穴６と同じか少し小さめの長方形＋楕円型の板７を設けて、両者が合体した位置から９０度回転した位置で落ち着くよう、合体フック４とツメ５を凸凹型接着器３、２に設けた上で、９０度回転した位置で複数収納用ケース１がきれいに並ぶよう設定する。【選択図】              図３
2004244097.tif 000002
【特許請求の範囲】
【請求項１】
ある程度柔らかい収納用ケース（１）を複数並べる際に、左右に並べる際には両横と隣り合うケース（１）の一面の中心部付近に、もとからあるケース中心部付近の代わりかその上に、凸型の円型接着器（３）を設け、もう一面のケース中心部付近にはその凸型の円型接着器（３）が丁度納まるような凹型の円型接着器（２）を設けた合体式複数収納用ケース。
【請求項２】
同様にして、上下に並べる際には、上下と隣り合うケースの両面の中心部付近に凹凸の円型接着器（２、３）を設ける、すなわち、合体させる必要に応じて、収納用ケース本体の面の数と同数まで凹凸の円型接着器（２、３）を設けた合体式複数収納用ケース。
【請求項３】
凸型の円型接着器（３）の直径に相当する部分に長方形＋楕円型の穴（６）を開け、それを収納する凹型の円型接着器（２）の部分に、今度はその長方形＋楕円型の穴（６）と同じかほんの少し小さめのやはり長方形＋楕円型の板（７）を設けて、両者が合体した位置から９０度回転した位置で落ち着くよう、合体フック（４）とツメ（５）を凸凹型接着器（３、２）に設けた上で、またその９０度回転した位置で丁度複数収納用ケース（１）がきれいに並ぶよう設定した、合体式複数収納用ケース。
【請求項４】
収納用ケース（１）を複数並べる際に、両横と隣り合うケースの面の表側最低１角にツメ（５）かフック（４）を、同時にその裏側にも同様に最低１角に、今度は逆にフック（４）かツメ（５）を設け、すなわち最低２面に最低２づつ計４つのツメ（５）とフック（４）を設けた、合体式複数収納用ケース。
【請求項５】
ある程度堅い収納用ケース（１）を複数並べる際には、収納用ケース（１）の上下にトッテ（８）とフック（４）を最低計２個以上設け、その収納用ケース（１）はトッテ（８）とフック（４）の組合せとそれ自身の弾力によって合体し、その並び方については、収納用ケース（１）自体に雄（１０）と雌（１１）を設けて接合させる方法、２つのみの接合を意図して、反転式に接合を図る方法、さらに、必要に応じて収納用ケース（１）を通常よりも分厚く作って同一方向きのまま接合させる方法の何れかをもちいる、合体式複数収納用ケース。
【請求項６】
内容物か収納用ケース（１）そのものに貼り付けるラベル（１２）の長さを、どちらか一方が極端に長い長方形にせず、適当な長さの長方形か、あるいは正方形を重ねて収納用ケース（１）に適した長さとした貼り付けラベル。
【発明の詳細な説明】
【０００１】
【発明の属する技術分野】
本発明は、安価かつ容易にケースを、２つ３つ・・・と無限に幾つでも合体させる技術と、その合体したケースを今度は分離も、安価かつ容易に行なえるという技術、さらに内容物かケースそのものに貼り付けるラベルの長さに係る技術に関するものである。
【０００２】
【従来の技術】
従来、ひとつの内容物とそれを覆うケースは当然ながら１対１で売られていて、あとからケースだけでも売られているが、それも１つづつバラバラに、であった。
内容物が、関係のあるものの場合、例えば２枚組ＣＤ等の場合はケースも２つセットになっているが、それは企業が作った製品の場合で、我々が個人的に作る場合は、その２つセットになったケースはなかなか見つからない。
ましてや、３つ４つ・・・セットになったケースになると、その発見はより難しくなる。
【０００３】
【発明が解決しようとする課題】
また例えば、ビデオテープとそれにかかるケースの場合、テレビで放送された長時間番組を２本のテープに録画した際、それぞれを▲１▼と▲２▼としてラベルをはり保存しようとしても、２つのケースに分けて保存しようるすると、どうしても１本がどこかへ行方不明になるという事態が起こり得る。
保存すべきテープは、多くの場合、それら２つだけではないのだから。
これは、テープの保存にかかる問題であり、ひとつの欠点であるといえよう。
本発明は、この欠点を解決するためになされたものである。
【０００４】
【課題を解決するための手段】
ある程度やわらかい素材よりなる収納用ケース（１）の場合、たとえばビデオなどの収納用ケース（１）の場合、収納用ケース（１）を複数並べる際に、左右に並べる際には両横と隣り合うケースの一面の中心部付近に、もとからあるケースの中心部付近の代わりかその上に、凸型の円型接着器（３）を設け、もう一面のケース中心部付近にはその凸型の円型接着器（３）が丁度納まるような凹型の円型接着器（２）を設ける。
【図１】
【０００５】
同様にして、上下に並べる際には、上下と隣り合うケースの両面の中心部付近に凹凸の円型接着器（２、３）を設ける、すなわち、合体させる必要に応じて、収納用ケース（１）本体の面の数と同数まで凹凸の円型接着器（２、３）を設ける。
【０００６】
そして、凸型の円型接着器（３）の直径に相当する部分に長方形＋楕円型の穴（６）を開け、それを収納する凹型の円型接着器（２）の部分に、今度はその長方形＋楕円型の穴（６）と同じかほんの少し小さめのやはり長方形＋楕円型の板（７）を設けて、両者が合体した位置から９０度回転した位置で落ち着くよう、合体フック（４）とツメ（５）を凸凹型接着器（３、２）に設けた上で、またその９０度回転した位置で丁度複数収納用ケース（１）がきれいに並ぶよう設定する。
【図３、４】
【０００７】
さらに凸凹型接着器（２、３）とは別に、両横と隣り合うケースの面の表側最低１角にツメ（５）かフック（４）とその裏側にも同様に最低１角にフック（４）かツメ（５）を設け、すなわち、図ではその数は異なるが、最低２面に最低２づつ４つのツメ（５）とフック（４）を設け、そちら側からも複数収納用ケース（１）を安定させる。
【図３】
【０００８】
またその次に、ある程度堅い収納用ケース（１）を複数並べる際には、収納用ケース（１）の上下にトッテ（８）とフック（４）を最低計２個以上設け、その収納用ケース（１）はトッテ（８）とフック（４）の組合せとそれ自身の弾力によって合体し
【図６】、その並び方については、収納用ケース（１）自体に雄（１０）と雌（１１）を設けて接合させる方法
【図５】、２つのみの接合を意図して、反転式に接合を図る方法
【図８】、さらに、必要に応じて収納用ケース（１）を通常よりも分厚く作って、同一方向きのまま接合させる方法
【図７】の何れかをもちいる。
【０００９】
最後に、内容物か収納用ケース（１）そのものに貼り付けるラベル（１２）の長さについて、どちらか一方が極端に長い長方形にせず、適当な長さの長方形か、あるいは正方形を重ねて収納用ケース（１）に適した長さとする。
【図２】本発明は、以上の構成よりなる「合体式複数収納用ケース」である。
【００１０】
【発明の実施の形態】
以下、本発明の実施の形態を説明する。
ある程度やわらかい素材よりなる収納用ケース（１）の場合、たとえばビデオなどの収納用ケース（１）の場合、収納用ケース（１）を複数並べる際に、左右に並べる際には両横と隣り合うケースの一面の中心部付近に、もとからあるケースの中心部付近の代わりかその上に、凸型の円型接着器（３）を設け、もう一面のケース中心部付近にはその凸型の円型接着器（３）が丁度納まるような凹型の円型接着器（２）を設ける。
【図１】
【００１１】
同様にして、上下に並べる際には、上下と隣り合うケースの両面の中心部付近に凹凸の円型接着器（２、３）を設ける、すなわち、合体させる必要に応じて、収納用ケース（１）本体の面の数と同数まで凹凸の円型接着器（２、３）を設ける。
【００１２】
そして、凸型の円型接着器（３）の直径に相当する部分に長方形＋楕円型の穴（６）を開け、それを収納する凹型の円型接着器（２）の部分に、今度はその長方形＋楕円型の穴（６）と同じかほんの少し小さめのやはり長方形＋楕円型の板（７）を設けて、両者が合体した位置から９０度回転した位置で落ち着くよう、合体フック（４）とツメ（５）を凸凹型接着器（３、２）に設けた上で、またその９０度回転した位置で丁度複数収納用ケース（１）がきれいに、すなわち合体させる面が互いに余白を余らせる事無く合わさり、並ぶよう設定する。
【図３、４】
【００１３】
ここで、長方形＋楕円型の板（７）は、構造上他と離れていて強度に問題が生じやすいので、二重以上に補強が必要なケースも考えられる。
【図４】
【００１４】
また、図では拡大して書いてあるが、凸凹型接着器（３、２）は両者でケースの板２〜４枚分の厚さにすぎず、収納用ケース（１）も必要以上に太くはならない。
【図４】
【００１５】
さらに、凸凹型接着器（３、２）とは別に、両横と隣り合うケースの面の表側最低１角にツメ（５）とその裏側にも同様に最低１角にフック（４）を設け、すなわち、図ではその数は異なるが、最低２面に最低２づつ４つのツメ（５）とフック（４）を設け、そちら側からも複数収納用ケースを安定させる。
【図３】
【００１６】
またその次に、ある程度堅い収納用ケース（１）を複数並べる際には、収納用ケース（１）の上下にトッテ（８）とフック（４）を最低計２個以上設け、その収納用ケース（１）はトッテ（８）とフック（４）の組合せとそれ自身の弾力によって合体する。
【図６】
【００１７】
その並び方については、収納用ケース（１）自体に雄（１０）と雌（１１）を設けて、両者をたがいちがいに接合させる方法。
【図５】
【００１８】
収納用ケース（１）２つのみの接合を意図して、両者を反転式、すなわち凸部分は凹部分、凹部分は凸部分と組合せて接合を図る方法。
【図８】
【００１９】
さらに、必要に応じて収納用ケース（１）を通常よりも分厚く作って、同一方向きのまま両者を接合させる方法の何れかをもちいる。
【図７】
【００２０】
最後に、内容物か収納用ケース（１）そのものに貼り付けるラベル（１２）の長さについて、どちらか一方が極端に長い長方形にせず、それが長くなる場合は切断することによって、適当な長さの長方形か、あるいは正方形を重ねて収納用ケース（１）に適した長さとする。
【図２】
【００２１】
【発明の効果】
本発明を使用することによって、なにか保存したいものが２個以上のテープ、ＣＤ、ＭＤ、ＤＶＤ等になったとき、それらをまとめて、一ヶ所で保存することができる。
また、保存する内容物か収納用ケースそのものに貼り付けるラベル（１２）も、適当な長さになっており、張り易く、その際のミスも少なくなっている。
【図面の簡単な説明】
【図１】合体式複数収納用ケース、接合前の２つの斜図
【図２】合体式複数収納用ケースを利用して３つ接合した場合の側面図
【図３】合体式複数収納用ケース、接合前の２つの上面図
【図４】ａとｂより見た凸凹型接着器の側面拡大図
【図５】収納用ケース自体に雄と雌を設け、３つ接合した場合の側面図
【図６】ｃとｄにおけるツメとフックの側面拡大図
【図７】収納用ケースを通常よりも分厚く作った場合の側面図
【図８】収納用ケースの反転式接合を図る場合の側面図
【符号の説明】
１  収納用ケース
２  凹型接着器
３  凸型接着器
４  フック
５  ツメ
６  長方形＋楕円型の穴
７  長方形＋楕円型の板
８  トッテ
９  軸
１０  雄の収納用ケース
１１  雌の収納用ケース
１２  ラベル
【図１】
2004244097.tif 000003
【図２】
2004244097.tif 000004
【図３】
2004244097.tif 000005
【図４】
2004244097.tif 000006
【図５】
2004244097.tif 000007
【図６】
2004244097.tif 000008
【図７】
2004244097.tif 000009
【図８】
2004244097.tif 000010